(57)【要約】  【課題】複数個の出力トランスの特性のバラツキにより、複数本のランプの明るさに差異が生じるのを防止するとともに、各ランプの高圧リード線間の絶縁性を高める。  【解決手段】インバータ基板上の１入力複数出力型の出力トランスＴ１の二次側高圧出力端子ｅ，ｆに、互いに直列に接続された各一対の照明器具１８，２４と２０，２２の一方側の電極を接続し、該各一対の照明器具１８，２４と２０，２２の他方側の電極を、出力トランスＴ１の二次側高圧出力端子ｅ，ｆに対応する他方の出力トランスＴ２の二次側高圧出力端子ｈ，ｇに接続し、出力トランスＴ１，Ｔ２の二次側の低圧端子ａ，ｂ，ｃ，ｄをアースに接続する。各照明器具１８，２０，２２，２４は、出力トランスＴ１，Ｔ２の二次側に接続するリード線が交差しないように、フレーム上に配列される。【選択図】図１
2006040871.tif 000002
【特許請求の範囲】
【請求項１】
インバータ基板上に複数出力型の出力トランスを複数個配置し、フレーム上に、少なくとも２個以上が直列にリード線を介して接続されて１組を構成する、複数組の各照明器具を並列状に取り付け、複数個の出力トランスの各一次側をインバータ回路に接続し、該出力トランスの各二次側の高圧出力端子と前記照明器具に接続するリード線をコネクタを介して接続し、前記出力トランスの出力によって前記複数組の照明器具を駆動する照明器具駆動装置であって、各出力トランスの二次側が相互に前記照明器具を介して接続するように、前記複数の出力トランスの二次側と前記照明器具とを接続し、前記各組の照明器具の一方側の電極を前記複数の出力トランスの中の１つの出力トランスの二次側の高圧出力端子にリード線を介して接続し、前記各組の照明器具の他方側の電極を前記複数の出力トランスの中の他の１つの出力トランスの、前記二次側の高圧出力端子とは逆相の、二次側高圧出力端子にリード線を介して接続し、前記各照明器具の各出力トランスの二次側に接続するリード線が互いに交差しないように、前記各出力トランスの二次側を前記フレーム上に配列したことを特徴とする照明器具駆動装置。
【請求項２】
前記出力トランスは１入力２出力型の巻線トランスであり、前記照明器具が冷陰極蛍光ランプであることを特徴とする請求項１に記載の照明器具駆動装置。
【請求項３】
前記複数個の出力トランスは２個の１入力２出力型の巻線型トランスであり、１組の照明器具（１８，２４，４２，５６）を外側に配置し、外側の１組の照明器具の内側に１組の照明器具（２０，２２，４４，５４，４６，５２，４８，５０）を内側に配置し、前記２個の巻線型トランスの中の１つの巻線型トランスの二次側高圧出力端子と、該二次側高圧出力端子と逆相の、他の巻線型トランスの二次側高圧出力端子との間に前記少なくとも２組の照明器具（１８，２４，２０，２２，４２，５６，４４，５４，４６，５２，４８，５０）をそれぞれ接続したことを特徴とする請求項１に記載の照明器具駆動装置。
【請求項４】
前記複数個の出力トランスは２個の１入力多出力型の出力トランスであり、該２個の出力トランスの中の一方の出力トランスの一つの二次側高圧端子と該二次側高圧端子に対応する他方の出力トランスの１つの二次側高圧端子との間に、直列に接続した複数個の照明器具を接続し、各出力トランスの各々の２つの二次側高圧端子間に、互いに直列に接続された複数個の照明器具を接続し、各出力トランスの各々の残りの１個の二次側高圧端子と二次側グランド端子との間に各々１個の照明器具を接続したことを特徴とする請求項１に記載の照明器具駆動装置。
【請求項５】
前記少なくとも２個の出力トランスの二次側低圧端子（ａ，ｂ，ｃ，ｄ，ｅ，ｆ，ｇ，ｈ）をそれぞれ接地したことを特徴とする請求項３に記載の照明器具駆動装置。
【請求項６】
前記複数個の出力トランスは少なくとも３個の１入力２出力型の巻線型トランスであり、１組の照明器具（Ｌ１，Ｌ６）を外側に配置し、少なくとも２組の照明器具（Ｌ２，Ｌ３，Ｌ４，Ｌ５）を内側に配置し、前記少なくとも３個の巻線型トランスの中の１つの巻線型トランスの二次側高圧出力端子と、該二次側高圧出力端子と逆相の、他の巻線型トランスの二次側高圧出力端子との間に前記少なくとも３組の照明器具の各組をそれぞれ接続したことを特徴とする請求項１に記載の照明器具駆動装置。
【請求項７】
前記少なくとも３個の出力トランスの二次側低圧端子（ａ，ｂ，ｃ，ｄ，ｅ，ｆ）をそれぞれ接地したことを特徴とする請求項６に記載の照明器具駆動装置。
【請求項８】
前記複数個の出力トランスは少なくとも３個の１入力複数出力型の巻線トランスであり、該３個の巻線トランスの中の１つの巻線型トランスの二次側高圧端子と、他の巻線型トランスの中の１つの巻線型トランスの前記二次側高圧端子と逆相の二次側高圧端子とを、直列に接続した複数個の照明器具を介して接続し、全ての巻線型トランスの二次側高圧端子を照明器具を介して相互に接続したことを特徴とする請求項１に記載の照明器具駆動装置。
【請求項９】
前記照明器具は、最外側の一対の出力トランス（ＴＦ１’，ＴＦ３’）の二次側を接続する最外側に配置された、１組の第１の照明器具（Ｌ１，Ｌ１２）と、該最外側の第１の照明器具（Ｌ１，Ｌ１２）の内側に配置された、最外側の一対の出力トランス（ＴＦ１’，ＴＦ３’）の二次側を接続する１組の第２の照明器具（Ｌ２，Ｌ１１）と、最外側の一方の出力トランス（ＴＦ１’）と内側の出力トランス（ＴＦ２’）の二次側を接続する、前記第２の照明器具（Ｌ２，Ｌ１１）の内側に配置された１組の第３の照明器具（Ｌ３，Ｌ６）と、最外側のの一方の出力トランス（ＴＦ１’）の二次側と内側の出力トランス（ＴＦ２’）の二次側を接続する前記第３の照明器具（Ｌ３，Ｌ６）の内側に配置された１組の第４の照明器具（Ｌ４，Ｌ５）と、最外側の他方の出力トランス（ＴＦ３’）と内側の出力トランス（ＴＦ２’）の二次側を接続する前記第２の照明器具の内側に配置された１組の第５の照明器具（Ｌ７，Ｌ１０）と、最外側の他方の出力トランス（ＴＦ３）と内側の出力トランス（ＴＦ２）の二次側を接続する、前記第５の照明器具（Ｌ７，Ｌ１０）の内側に配置された１組の第６の照明器具（Ｌ８，Ｌ９）とから構成したことを特徴とする請求項１に記載の照明器具駆動装置。
【請求項１０】
前記第２の照明器具（Ｌ２，Ｌ１１）の１組の照明器具の中、一方の照明器具（Ｌ１１）を最外側に配置し、前記第１の照明器具（Ｌ１，Ｌ１２）の１組の照明器具の中、一方の照明器具（Ｌ１２）を前記第２の照明器具の中の一方の照明器具（Ｌ１１）の内側に隣接配置し、前記第１の１組の照明器具（Ｌ１，Ｌ１２）を直列に接続するリード線（ｍ１）と、前記第２の１組の照明器具（Ｌ２，Ｌ１１）を直列に接続するリード線（ｍ２）とを交差させ、全ての照明器具と出力トランスの二次側高圧出力端子を１本の閉ループに直列に接続したことを特徴とする請求項９に記載の照明器具駆動装置。
【請求項１１】
前記照明器具は、最外側の一対の出力トランス（ＴＴ１，ＴＴ３）の二次側の１つの高圧出力端子を接続する、最外側に配置された１組の第１の照明器具（Ｌ１，Ｌ１２）と、該最外側の第１の照明器具（Ｌ１，Ｌ１２）の中の一方の照明器具（Ｌ１）に隣接して、該照明器具（Ｌ１）の内側に配置された、最外側の一方の出力トランスの二次側の２つの高圧出力端子に接続する、１組の第２の照明器具（Ｌ２，Ｌ３）と、前記第２の照明器具（Ｌ２，Ｌ３）の内側の照明器具（Ｌ３）に隣接して配置された、前記最外側の一方の出力トランス（ＴＴ１）の二次側の高圧出力端子と内側の出力トランス（ＴＴ２）の二次側の高圧出力端子とを接続する１組の第３の照明器具（Ｌ４，Ｌ５）と、前記第３の照明器具の中の一方の照明器具（Ｌ５）に隣接して、該照明器具（Ｌ５）の内側に配置された、内側の出力トランス（ＴＴ２）の二次側の２つの高圧出力端子に接続する、１組の第４の照明器具（Ｌ６，Ｌ７）と、前記第４の照明器具の中の一方の照明器具（Ｌ７）に隣接して、該照明器具（Ｌ７）の内側に配置された、内側の出力トランスの二次側の高圧出力端子と最外側の他方の出力トランス（ＴＴ３）の二次側の高圧出力端子とを接続する、１組の第５の照明器具（Ｌ８，Ｌ９）と、前記第５の照明器具の中の一方の照明器具（Ｌ９）に隣接して、該照明器具（Ｌ９）の内側に配置された、最外側の他方の出力トランス（ＴＴ３）の二次側の２つの高圧出力端子に接続する、１組の第６の照明器具（Ｌ１０，Ｌ１１）とから構成し、全ての照明器具と出力トランスの二次側高圧出力端子を１本の閉ループに直列に接続したことを特徴とする請求項１に記載の照明器具駆動装置。
【発明の詳細な説明】
【技術分野】
【０００１】
本発明は、冷陰極型蛍光ランプあるいはＥＬ板（エレクトリロルミネッセンス板）などの照明器具を駆動するインバータ等に用いられる駆動装置に関する。
【背景技術】
【０００２】
従来、巻線型トランスによって冷陰極型蛍光ランプなどのランプを駆動する回路は、巻線型トランスの二次側に単一のランプを接続する構成が一般的である（例えば特許文献１参照）。
また、従来、複数の冷陰極型蛍光ランプなどの照明器具を駆動する場合には、図１５に示すように、複数の巻線型トランスＴ１，Ｔ２，Ｔ３を用意し、各トランスＴ１，Ｔ２，Ｔ３の一次側を並列接続し、各トランスＴ１，Ｔ２，Ｔ３ごとに、独立して図示のように照明器具Ｌ１〜Ｌ６を接続している。
【特許文献１】特開２００３−１５７９８８号公報
【発明の開示】
【発明が解決しようとする課題】
【０００３】
複数の巻線型の出力トランスの一次側を並列または直列に接続し、各出力トランスごとに冷陰極蛍光ランプなどのランプを駆動する場合、同じ規格であっても出力トランスや負荷の特性にバラツキが生じ、これにより各出力トランスに接続されているランプの明るさにバラツキが生じてしまう。また、複数のランプを駆動する場合、ランプの一方の電極を出力トランスの二次側高圧端子に接続し、他方の電極をアースに落としてランプを駆動する方式が一般的であるが、この方式はランプの一端側がアースされるためランプの両端において電位差が生じランプの一端側の電圧が低くなってしまい、出力トランスの高圧端子接続側が明るく、アース側が暗くなり、また、ランプ間にも輝度にムラが生じてしまう。また、ランプを複数の出力トランスにまたがって接続する構成を採用した場合、高圧リード線どうしが交差して配置されると、リード線間の電位差により、リード線間が容量結合し、交差したリード線に漏れ電流や短絡現象が生じ時、ランプが暗くなったり輝度が一定とならないという問題が生じる。  本発明は上記問題点を解決することを目的とする。
【課題を解決するための手段】
【０００４】
上記目的を達成するため本発明は、インバータ基板上に複数出力型の出力トランスを複数個配置し、フレーム上に、少なくとも２個以上が直列にリード線を介して接続されて１組を構成する、複数組の各照明器具を並列状に取り付け、複数個の出力トランスの各一次側をインバータ回路に接続し、該出力トランスの各二次側の高圧出力端子と前記照明器具に接続するリード線をコネクタを介して接続し、前記出力トランスの出力によって前記複数組の照明器具を駆動する照明器具駆動装置であって、各出力トランスの二次側が相互に前記照明器具を介して接続するように、前記複数の出力トランスの二次側と前記照明器具とを接続し、前記各組の照明器具の一方側の電極を前記複数の出力トランスの中の１つの出力トランスの二次側の高圧出力端子にリード線を介して接続し、前記各組の照明器具の他方側の電極を前記複数の出力トランスの中の他の１つの出力トランスの、前記二次側の高圧出力端子とは逆相の、二次側高圧出力端子にリード線を介して接続し、前記各照明器具の各出力トランスの二次側に接続するリード線が互いに交差しないように、前記各出力トランスの二次側を前記フレーム上に配列したものである。
また本発明は、前記出力トランスは１入力２出力型の巻線トランスであり、前記照明器具が冷陰極蛍光ランプである。
また本発明は、前記複数個の出力トランスは２個の１入力２出力型の巻線型トランスであり、１組の照明器具（１８，２４，４２，５６）を外側に配置し、外側の１組の照明器具の内側に１組の照明器具（２０，２２，４４，５４，４６，５２，４８，５０）を内側に配置し、前記２個の巻線型トランスの中の１つの巻線型トランスの二次側高圧出力端子と、該二次側高圧出力端子と逆相の、他の巻線型トランスの二次側高圧出力端子との間に前記少なくとも２組の照明器具（１８，２４，２０，２２，４２，５６，４４，５４，４６，５２，４８，５０）をそれぞれ接続したものである。
また本発明は、前記複数個の出力トランスは２個の１入力多出力型の出力トランスであり、該２個の出力トランスの中の一方の出力トランスの一つの二次側高圧端子と該二次側高圧端子に対応する他方の出力トランスの１つの二次側高圧端子との間に、直列に接続した複数個の照明器具を接続し、各出力トランスの各々の２つの二次側高圧端子間に、互いに直列に接続された複数個の照明器具を接続し、各出力トランスの各々の残りの１個の二次側高圧端子と二次側グランド端子との間に各々１個の照明器具を接続したものである。
また本発明は、前記少なくとも２個の出力トランスの二次側低圧端子（ａ，ｂ，ｃ，ｄ，ｅ，ｆ，ｇ，ｈ）をそれぞれ接地したものである。
また本発明は、前記複数個の出力トランスは少なくとも３個の１入力２出力型の巻線型トランスであり、１組の照明器具（Ｌ１，Ｌ６）を外側に配置し、少なくとも２組の照明器具（Ｌ２，Ｌ３，Ｌ４，Ｌ５）を内側に配置し、前記少なくとも３個の巻線型トランスの中の１つの巻線型トランスの二次側高圧出力端子と、該二次側高圧出力端子と逆相の、他の巻線型トランスの二次側高圧出力端子との間に前記少なくとも３組の照明器具の各組をそれぞれ接続したものである。
また本発明は、前記少なくとも３個の出力トランスの二次側低圧端子（ａ，ｂ，ｃ，ｄ，ｅ，ｆ）をそれぞれ接地したものである。
また本発明は、前記複数個の出力トランスは少なくとも３個の１入力複数出力型の巻線トランスであり、該３個の巻線トランスの中の１つの巻線型トランスの二次側高圧端子と、他の巻線型トランスの中の１つの巻線型トランスの前記二次側高圧端子と逆相の二次側高圧端子とを、直列に接続した複数個の照明器具を介して接続し、全ての巻線型トランスの二次側高圧端子を照明器具を介して相互に接続したものである。
また本発明は、前記照明器具は、最外側の一対の出力トランス（ＴＦ１’，ＴＦ３’）の二次側を接続する最外側に配置された、１組の第１の照明器具（Ｌ１，Ｌ１２）と、該最外側の第１の照明器具（Ｌ１，Ｌ１２）の内側に配置された、最外側の一対の出力トランス（ＴＦ１’，ＴＦ３’）の二次側を接続する１組の第２の照明器具（Ｌ２，Ｌ１１）と、最外側の一方の出力トランス（ＴＦ１’）と内側の出力トランス（ＴＦ２’）の二次側を接続する、前記第２の照明器具（Ｌ２，Ｌ１１）の内側に配置された１組の第３の照明器具（Ｌ３，Ｌ６）と、最外側のの一方の出力トランス（ＴＦ１’）の二次側と内側の出力トランス（ＴＦ２’）の二次側を接続する前記第３の照明器具（Ｌ３，Ｌ６）の内側に配置された１組の第４の照明器具（Ｌ４，Ｌ５）と、最外側の他方の出力トランス（ＴＦ３’）と内側の出力トランス（ＴＦ２’）の二次側を接続する前記第２の照明器具の内側に配置された１組の第５の照明器具（Ｌ７，Ｌ１０）と、最外側の他方の出力トランス（ＴＦ３）と内側の出力トランス（ＴＦ２）の二次側を接続する、前記第５の照明器具（Ｌ７，Ｌ１０）の内側に配置された１組の第６の照明器具（Ｌ８，Ｌ９）とから構成したものである。
また本発明は、前記第２の照明器具（Ｌ２，Ｌ１１）の１組の照明器具の中、一方の照明器具（Ｌ１１）を最外側に配置し、前記第１の照明器具（Ｌ１，Ｌ１２）の１組の照明器具の中、一方の照明器具（Ｌ１２）を前記第２の照明器具の中の一方の照明器具（Ｌ１１）の内側に隣接配置し、前記第１の１組の照明器具（Ｌ１，Ｌ１２）を直列に接続するリード線（ｍ１）と、前記第２の１組の照明器具（Ｌ２，Ｌ１１）を直列に接続するリード線（ｍ２）とを交差させ、全ての照明器具と出力トランスの二次側高圧出力端子を１本の閉ループに直列に接続したものである。
また本発明は、前記照明器具は、最外側の一対の出力トランス（ＴＴ１，ＴＴ３）の二次側の１つの高圧出力端子を接続する、最外側に配置された１組の第１の照明器具（Ｌ１，Ｌ１２）と、該最外側の第１の照明器具（Ｌ１，Ｌ１２）の中の一方の照明器具（Ｌ１）に隣接して、該照明器具（Ｌ１）の内側に配置された、最外側の一方の出力トランスの二次側の２つの高圧出力端子に接続する、１組の第２の照明器具（Ｌ２，Ｌ３）と、前記第２の照明器具（Ｌ２，Ｌ３）の内側の照明器具（Ｌ３）に隣接して配置された、前記最外側の一方の出力トランス（ＴＴ１）の二次側の高圧出力端子と内側の出力トランス（ＴＴ２）の二次側の高圧出力端子とを接続する１組の第３の照明器具（Ｌ４，Ｌ５）と、前記第３の照明器具の中の一方の照明器具（Ｌ５）に隣接して、該照明器具（Ｌ５）の内側に配置された、内側の出力トランス（ＴＴ２）の二次側の２つの高圧出力端子に接続する、１組の第４の照明器具（Ｌ６，Ｌ７）と、前記第４の照明器具の中の一方の照明器具（Ｌ７）に隣接して、該照明器具（Ｌ７）の内側に配置された、内側の出力トランスの二次側の高圧出力端子と最外側の他方の出力トランス（ＴＴ３）の二次側の高圧出力端子とを接続する、１組の第５の照明器具（Ｌ８，Ｌ９）と、前記第５の照明器具の中の一方の照明器具（Ｌ９）に隣接して、該照明器具（Ｌ９）の内側に配置された、最外側の他方の出力トランス（ＴＴ３）の二次側の２つの高圧出力端子に接続する、１組の第６の照明器具（Ｌ１０，Ｌ１１）とから構成し、全ての照明器具と出力トランスの二次側高圧出力端子を１本の閉ループに直列に接続したものである。
【発明の効果】
【０００５】
本発明は複数個の出力トランスの二次側を照明器具を通じて連結したので、各出力トランスの二次側の特性のバラツキを少なくすることができ、各出力トランスに接続された複数の照明器具の明るさのバラツキを少なくすることができる。また、各出力トランスに連結された複数の照明器具に接続するリード線間の絶縁性を高めたので、リード線間の容量結合による電流の漏れや短絡を防止でき、複数の照明器具の明るさを均一とすることができる。
【発明を実施するための最良の形態】
【０００６】
以下に本発明の実施の形態を添付した図面を参照して詳細に説明する。
図１において、Ｔ１，Ｔ２は、インバータ基板（図示省略）上に配設された、巻線型の１入力２出力型の互いに同一構造同一規格の高圧用出力トランスであり、一次側の入力巻線２，４がリード線６，８によって並列に接続されている。出力トランスＴ１の入力端子Ａ，Ｂ間には共振コンデンサＣｏと一次巻き線２のＬとで直列共振回路が構成されている。入力端子Ａ，Ｂは、インバータ回路が接続され、入力端子Ａ，Ｂにインバータ回路から出力される交流電圧が入力されるように構成されている。各出力トランスＴ１，Ｔ２の二次巻線１０，１２，１４，１６の各一端ａ，ｂ，ｃ，ｄは端子を介してアースに接続している。
【０００７】
１８，２４は、フレーム（図示省略）上に配置された冷陰極型蛍光ランプであり、互いに直列に接続されている。ランプ１８の一端の電極は、バラストコンデンサＣ１を介して、出力トランスＴ１の二次巻線１０の高圧端子ｅに接続された、インバータ基板上のコネクタ（図示省略）に接続している。ランプ２４の一端の電極は、バラストコンデンサＣ４を介して、出力トランスＴ２の二次巻線１６の高圧端子ｈに接続された、インバータ基板上のコネクタ（図示省略）に接続している。端子ｅと端子ｈは互いに逆相の関係にある。２０，２２はフレーム（図示省略）に配置された、互いに直列に接続された一対の冷陰極型蛍光ランプであり、ランプ２０の一端の電極はバラストコンデンサＣ２を介して、出力トランスＴ１の二次巻線１２の高圧端子ｆに接続された、インバータ基板上のコネクタ（図示省略）に接続している。ランプ２２の一端の電極はバラストコンデンサＣ３を介して、出力トランスＴ２の二次巻線の高圧端子ｇに接続された、インバータ基板上のコネクタ（図示省略）に接続している。端子ｆと端子ｇは互いに逆相の関係にある。
【０００８】
上記した構成において、入力端子Ａ，Ｂに交流電圧が入力され、出力トランスＴ１，Ｔ２の二次側に高圧の交流電圧が誘起されると、各ランプ１８，２０，２２，２４の両端に高圧交流電圧が印加され、各ランプ１８，２０，２２，２４が点灯する。各ランプには両端に高圧が印加されるため明暗のムラが生じることがない。また、このとき、出力トランスＴ１，Ｔ２、ランプ、バラストコンデンサ等に特性のバラツキがあっても、出力トランスＴ１，Ｔ２の二次側が互いに接続され関連性が生じることによって、出力トランスＴ１，Ｔ２間の特性のバラツキが解消される。これにより、４本のランプ１８，２０，２２，２４は出力トランスＴ１，Ｔ２の二次側の平均化された特性によって駆動されることになり、各ランプ１８，２０，２２，２４間の明るさに差異が生じることがない。
【０００９】
フレーム上のランプ１８，２０，２２，２４は、図１に示すように、並列状に配置され、これらの中、最も外側のランプ１８，２４は、互いに直列に接続され、内側の２本のランプ２０，２２が互いに直列に接続されている。このランプ１８〜２４の接続配置により、各ランプに接続するリード線がフレーム上で、互いに交差することがない。もし、ランプ１８と対のランプ２４をランプ１８に隣接配置した場合には、ランプ２４の一端に接続する高圧のリード線は、ランプ２０とランプ２２の高圧のリード線を横切ることになり、リード線交差部が２カ所形成されることになる。
【００１０】
上記実施形態では、出力トランスとして１入力２出力型の巻線型トランスを用い、負荷として冷陰極蛍光ランプを用いた例について説明したが、これらの構成に特に限定されるものではなく、出力トランスとして複数出力型の圧電トランスを用い、負荷としてＥＬ板や熱陰極蛍光ランプなどの照明器具を用いても良い。また、出力トランスは、１入力２出力型に特に限定されるものではなく、図２に示すように、巻線型１入力多出力トランスを用いることができる。図２中、Ｔ１，Ｔ２は、互いに一次側がパラレルに接続された、同一構造、同一規格の、インバータ基板上に設置された巻線型の１入力４出力型高圧出力トランスであり、これらの二次側に接続するコネクタ（図示省略）を介して、該出力トランスＴ１，Ｔ２の二次側に、８本の冷陰極蛍光ランプ４２，４４，４６，４８，５０，５２，５４，５６が図示の如く結線されている。
【００１１】
ランプ４４，４６は直列に接続され、一方のランプ４４の一方の電極が、バラストコンデンサＣ６を介して出力トランスＴ１の二次巻線２８の高圧端子ｊに接続し、他方のランプ３４の一方の電極が、バラストコンデンサＣ７を介して出力トランスＴ１の二次巻線３０の高圧端子ｋに接続している。高圧端子ｊと高圧端子ｋは互いに逆相の関係にある。直列に接続されたランプ５２と５４の中、一方のランプ５２の一方の電極は、バラストコンデンサＣ１０を介して出力トランスＴ２の二次巻線３６の高圧端子ｎに接続し、他方のランプ５４の一方の電極は、バラストコンデンサＣ１１を介して、出力トランスＴ２の二次巻線３８の高圧端子ｏに接続している。高圧端子ｍと高圧端子ｏは互いに逆相の関係にある。前記出力トランスＴ２の二次巻線３６，３８の低圧端子ｆ，ｇはアースに接続し、出力トランスＴ１の二次巻線２８，３０の低圧端子ｂ，ｃはアースに接続している。
【００１２】
ランプ４２の一方の電極はバラストコンデンサＣ５を介して出力トランスＴ１の二次巻線２６の高圧端子ｉに接続し、他方の電極は出力トランスＴ１の二次巻線２６の低圧側のグランド端子ａに接続している。ランプ５６の一方の電極はバラストコンデンサＣ１２を介して出力トランスＴ２の二次巻線４０の高圧端子ｐに接続し、他方の電極は、二次巻線４０の、グランドされた低圧端子ｈに接続している。直列に接続されたランプ４８，５０の中、ランプ４８の一方の電極はバラストコンデンサＣ８を介して、出力トランスＴ１の二次巻線３２の高圧端子ｌに接続し、ランプ５０の一方の電極はバラストコンデンサＣ９を介して出力トランスＴ２の二次巻線３４の高圧端子ｍに接続している。高圧端子ｌと高圧端子ｍは互いに逆相の関係にある。出力トランスＴ１，Ｔ２の二次巻線３２，３４の低圧端子ｄ，ｅはグランドされている。
【００１３】
上記した構成において、出力トランスＴ１，Ｔ２の二次側をランプ４８，５０を介して接続することにより、互いの特性が平均化され、各々の特性のバラツキが除去される。これにより、出力トランスＴ１，Ｔ２の二次側によって駆動されるランプ４２，４４，４６，４８，５０，５２，５４，５６は互いに略同じ明るさで点灯する。上記実施形態では、真ん中に配置した一対のランプ４８，５０を互いに直列に接続し、該一対のランプ４８，５０の一方を、リード線を介して、出力トランスＴ１の高圧出力端子ｌに接続されたコネクタに接続し、他方をリード線を介して、出力トランスＴ２の、前記出力トランスＴ１の高圧出力端子ｌと最短距離で対向する、高圧出力端子ｍに接続されたコネクタ（図示省略）に接続している。
【００１４】
そして、最外側のランプ４２，５６を、それぞれ、出力トランスＴ１，Ｔ２の二次巻線２６，４０の各出力端ｉ，ａとｐ，ｈに、コネクタを介して接続している。また、最外側ののランプ４２，５６と、最も内側の一対の、互いに直列に接続されたランプ４８，５０との間にそれぞれ配置された一対のランプ４４と４６及び５２と５４は、それぞれ、互いに直列に接続され、一対のランプ４４と４６は、出力トランスＴ１の二次巻線２８，３０の高圧出力端子ｊ，ｈにコネクタを介して接続されている。また、一対のランプ５２，５４は、出力トランスＴ２の二次巻線３６，３８の高圧出力端子ｎ，ｏに、コネクタを介して接続されている。以上のように、ランプ４２〜５６をフレーム上に配置することにより、各ランプに接続する高圧リード線が交差することがない。
【００１５】
図３は、図２に示す実施形態の変形例を示している。
図３中、Ｔ１，Ｔ２は、互いに一次側がパラレルに接続された、同一構造、同一規格の、インバータ基板上に設置された巻線型の１入力４出力型高圧出力トランスであり、これらの二次側に、コネクタを介して、フレーム上に並列状に配置された８本の冷陰極蛍光ランプ４２，４４，４６，４８，５０，５２，５４，５６が、図示の如く、結線されている。ランプ４２，５６は直列に接続され、一方のランプ４２の一方の電極が、バラストコンデンサＣ５を介して、出力トランスＴ１の二次巻線２６の高圧端子ｉに接続されたコネクタに接続し、他方のランプ５６の一方の電極が、バラストコンデンサＣ１２を介して、出力トランスＴ１の二次巻線４０の高圧端子ｐに接続されたコネクタに接続している。高圧端子ｉと高圧端子ｐは互いに逆相の関係にある。直列に接続されたランプ４４と５２の中、一方のランプ４４の一方の電極は、バラストコンデンサＣ６を介して、出力トランスＴ１の二次巻線２８の高圧端子ｊに接続されたコネクタに接続し、他方のランプ５４の一方の電極は、バラストコンデンサＣ１１を介して、出力トランスＴ２の二次巻線３８の高圧端子ｏに接続されたコネクタに接続している。高圧端子ｊと高圧端子ｏは互いに逆相の関係にある。
【００１６】
直列に接続されたランプ４６，５２の一方の電極は、バラストコンデンサＣ７を介して、出力トランスＴ１の二次巻線３０の高圧端子ｋに接続されたコネクタに接続し、他方の電極は、バラストコンデンサＣ１０を介して、出力トランスＴ２の二次巻線３６の高圧端子ｎに接続されたコネクタに接続している。直列に接続されたランプ４８，５０の一方の電極は、バラストコンデンサＣ３２を介して、出力トランスＴ１の二次巻線３２の高圧端子lに接続されたコネクタに接続し、他方の電極は、バラストコンデンサＣ９を介して、出力トランスＴ２の二次巻線３４の高圧端子ｍに接続されたコネクタに接続している。高圧端子ｋと高圧端子ｎ，高圧端子ｌとｍは互いに逆相の関係にある。出力トランスＴ１，Ｔ２の二次巻線３２，３４の低圧端子ａ，ｂ，ｃ，ｄ，ｅ，ｆ，ｇ，ｈはそれぞれグランドされている。
【００１７】
上記した構成において、出力トランスＴ１，Ｔ２の二次側をランプ４２，５６，４４，５４，４６，５２，４８，５０を介して接続することにより、互いの特性が平均化され、各々の特性のバラツキが除去される。これにより、出力トランスＴ１，Ｔ２の二次側によって駆動されるランプ４２，４４，４６，４８，５０，５２，５４，５６は互いに略同じ明るさで点灯する。上記実施形態では、最外側の一対のランプ４２，５６は、互いに直列に接続し、該ランプ４２，５６の一方が、出力トランスＴ１の高圧出力端子ｉと、コネクタを介して接続し、他方が、出力トランスＴ２の高圧出力端子ｐと、コネクタを介して、接続している。２番目に外側の一対のランプ４４，５４は、互いに直列に接続し、該ランプ４４，５４の一方が、出力トランスＴ１の高圧出力端子ｊと、コネクタを介して接続し、他方が、出力トランスＴ２の高圧出力端子ｏと、コネクタを介して、接続している。
【００１８】
３番目に外側の一対のランプ４６，５２は、互いに直列に接続し、該ランプ４６，５２の一方が、出力トランスＴ１の高圧出力端子のと、コネクタを介して接続し、他方が、出力トランスＴ２の高圧出力端子ｎと、コネクタを介して、接続している。最も内側の一対のランプ４８，５０は、互いに直列に接続し、該ランプ４８，５０の一方が、出力トランスＴ１の高圧出力端子ｌと、コネクタを介して接続し、他方が、出力トランスＴ２の高圧出力端子ｍと、コネクタを介して、接続している。
以上のように、ランプ４２〜５６をフレーム上に配置することにより、各ランプに接続する高圧リード線が交差することがない。
【００１９】
次に本発明の他の実施形態を図４を参照して説明する。
図４において、Ｔ１，Ｔ２，Ｔ３は１入力２出力型の互いに同一構造、同一規格の、インバータ基板上に設置された高圧用出力トランスであり、各トランスの一次側の入力巻線Ｐ１がリード線によって並列に接続されている。出力トランスＴ１の入力端子Ａ，Ｂには、出力トランスＴ１の一次側に交流信号を供給する例えば、ロイヤー方式の並列共振インバータ回路や、直列共振インバータ回路、他励式インバータ回路が接続されている。各出力トランスＴ１，Ｔ２，Ｔ３の二次巻線Ｓ１，Ｓ２，の各巻き終わり端に接続する低圧側端子ａ，ｂ，ｃ，ｄ，ｅ，ｆは、アースに接続している。
【００２０】
Ｌ１，Ｌ６は、フレーム上に配置された冷陰極型蛍光ランプであり、互いに直列に接続されている。冷陰極型蛍光ランプＬ１の一方の電極は、バラストコンデンサＣ１を介して、出力トランスＴ１の二次巻線Ｓ１の巻き始め端に接続する高圧側端子ｇに接続されたコネクタに接続し、冷陰極型蛍光ランプＬ６の一方の電極は、バラストコンデンサＣ６を介して、出力トランスＴ３の二次巻線Ｓ２の巻き始め端に接続する高圧側端子ｌに接続されたコネクタに接続している。互いに直列に接続する一対のランプＬ２，Ｌ３の中、一方のランプＬ２の一方の電極は、バラストコンデンサＣ２を介して、出力トランスＴ１の二次巻線Ｓ２の巻き始め端に接続する、高圧側端子ｈに接続し、他方のランプＬ３の一方の電極は、バラストコンデンサＣ３を介して、出力トランスＴ２の二次巻線Ｓ１の巻き始め端に接続する高圧側端子ｉに接続している。
【００２１】
互いに直列に接続するランプＬ４，Ｌ５の中、一方のランプＬ４の一方の電極は、バラストコンデンサＣ４を介して、出力トランスＴ２の二次巻線Ｓ２の巻き始め端に接続する、高圧側端子ｊに接続し、他方のランプＬ５の一方の電極は、バラストコンデンサＣ５を介して、出力トランスＴ３の二次巻線Ｓ１の巻き始め端に接続する、高圧側端子ｋに接続している。各出力トランスＴ１，Ｔ２，Ｔ３の高圧側端子ｇとｈ，ｉとｊ，ｋとｌはそれぞれ互いに逆相の関係にあり、ランプＬ１とＬ６，Ｌ２とＬ３，Ｌ４とＬ５のそれぞれの接続点はみかけ上、ゼロボルトとなる。
【００２２】
上記した構成において、入力端子Ａ，Ｂから、出力トランスＴ１，Ｔ２，Ｔ３の一次側に交流信号が入力され、出力トランスＴ１，Ｔ２，Ｔ３の二次側に高圧の交流電圧が誘起されると、フレーム上の各ランプＬ１，Ｌ６、Ｌ２，Ｌ３、Ｌ４，Ｌ５の両端に高圧交流電圧が印加される。各出力トランスＴ１，Ｔ２，Ｔ３の二次巻線Ｓ１，Ｓ２の両端には、これらの両端に接続されている負荷も含めたトータルのインピーダンスに相当する電圧が発生する。このとき、例えば出力トランスＴ１の二次巻線Ｓ２と出力トランスＴ２の二次巻線Ｓ１には、直列に接続されたランプＬ２，Ｌ３を介して関連づいた電圧が発生する。同様に、出力トランスＴ１の二次巻線Ｓ１と出力トランスＴ３の二次巻線Ｓ２の両端には、直列に接続されたランプＬ１，Ｌ６を介して関連づいた電圧が発生する。また、出力トランスＴ２の二次巻線Ｓ２と出力トランスＴ３の二次巻線Ｓ１の両端には、ランプＬ４，Ｌ５を介して関連づいた電圧が発生する。
【００２３】
これにより、全ての出力トランスＴ１，Ｔ２，Ｔ３が関連づいて、全てのランプＬ１〜Ｌ６に均一の電流が流れ、明るさが均一となる。このことは、出力トランスＴ１，Ｔ２，Ｔ３の負荷インピーダンスに、もし、バラツキがあっても、関連づいた電圧が各出力トランスＴ１，Ｔ２，Ｔ３の二次巻線Ｓ１，Ｓ２に生じることを意味する。また、このとき、二次巻線Ｓ１とＳ２に電圧差が生じたときは、Ｓ１とＳ２の巻線に、分流トランス（電流バランサ）の動作が生じ、Ｓ１とＳ２を流れる電流が同じになろうとし、Ｓ１とＳ２の電流補正が行われる。以上の動作により、全てのランプＬ１〜Ｌ６が同じ明るさで点灯する。また、温度変化により、ランプのインピーダンス部品の定数が変化しても、上記の動作により、各ランプＬ１〜Ｌ６に安定した明るさが得られる。
【００２４】
上記のように、各出力トランスＴ１，Ｔ２，Ｔ３の二次巻線Ｓ１，Ｓ２の両端電圧が均一になることにより、各出力トランスＴ１，Ｔ２，Ｔ３の一次側の巻線Ｐ１の電圧もほぼ同じ値となり、安定したランプ駆動が可能となる。各出力トランスの一次側は、一次と二次の巻線比に相当した電圧が生じる。即ち、二次巻線に発生した電圧の巻き数比分の一の電圧が生じ、このことは、出力トランスＴ１，Ｔ２，Ｔ３の二次側の電圧がそれぞれほぼ等しければ、各出力トランスの一次側の電圧も等しくなり、供給される電力が同じになる。
上記実施形態において、最外側のランプＬ１，Ｌ６は、互いに直列に接続し、該ランプＬ１，Ｌ６の一方が、高圧出力端子ｇとコネクタを介して接続し、他方が、高圧出力端子ｌとコネクタを介して接続する。また最外側のランプＬ２とＬ６にそれぞれ隣接する一対のランプＬ２，Ｌ３とＬ４，Ｌ５は、それぞれ直列に接続し、一対のランプＬ２，Ｌ３の一方がコネクタを介して出力トランスＴ１の高圧出力端子ｈに接続し、他方がコネクタに接続介して出力トランスＴ２の高圧出力端子ｉに接続し、一対ランプＬ４，Ｌ５の一方がコネクタを介して出力トランスＴ２の高圧出力端子ｊに接続し、他方がコネクタを介して出力トランスＴ３の高圧出力端子ｋに接続している。
【００２５】
以上のように、ランプＬ１〜Ｌ６をフレーム上に配置することにより、各ランプに接続する高圧リード線が交差することがない。
図５は、二次側をバイファイラ巻き（平行巻き）とし、１入力４出力とした複数のトランスＴＦ１，ＴＦ２，ＴＦを３個用い、フレーム上の１２本のランプＬ１〜Ｌ１２を駆動した実施形態を示している。図６，７はバイファイラ巻きの１入力４出力のトランスＴＦ１を示している。
図６において、１８２はコアであり、２個のコ字状のコアが接合してロの字状のコアを構成している。コア１８２の平行部分の一方には、一次用ボビン１８４が嵌挿配置されている。一次用ボビン１８４の中央には、端子台１８６が固設され、該端子台１８６に一次入力端子１８８，１９０が設けられている。前記ボビン１８４には、一次巻線１９２が装着され、該一次巻線１９２の両端はリード線を介して一次入力端子１８８，１９０に接続している。
【００２６】
前記一次用ボビン１８４の外側には、端子台１８６の両側に位置して、一対の二次用ボビン１９１，１９４が嵌挿配置されている。二次用ボビン１９１，１９４の各一端のパーティション１９６が、端子台１８６の両側面に当接している。図６においては、二次用ボビン１９１，１９４のパーティション１９６は、図面の複雑化を避けるため、図示省略してある。二次用ボビン１９１，１９４には、二重にした２本の線ａ，ｂによって、二次巻線１９８，２００が巻かれている。二重線からなる二次巻線１９８，２００の巻き始め端は、リード線を介して、二次用ボビン１９１，１９４の各々の端子台２０２，２０４に設けられた二次高圧端子２０６，２０８，２１０，２１２に接続し、巻き終わり端は、リード線を介して、グランド端子２１４，２１６，２１８，２２０に接続している。
【００２７】
上記した構成において、一次巻線１９２と二次巻線１９８，２００との関係はボビンの二層構造において、一次巻線の両側に二次巻線１９８，２００が配置されることになり、単純な構造によって多出力を構成することができる。本実施形態において、二次巻線を構成する二重の平行線には高圧がかかるが、この高圧は互いに同電位であるため、平行二次巻線間にショートや電流の漏れが生じることはない。また、コア１８２の他方の平行部分１８２ａも同様な構成とすることができ、この上下対称の構造とした場合には、一次側を直列又は並列に接続して一入力とし、８出力を実現できる。また、二次巻線の巻き線の本数を３本或いは４本等とすることにより、更に多出力が可能となる。
図５において、ＴＦ１，ＴＦ２，ＴＦ３は、一次側の入力端１８８，１８９がリード線によって並列に接続されている。出力トランスＴＦ１の入力端子１８８，１８９には、出力トランスＴＦ１の一次側に交流信号を供給する例えば、ロイヤー方式の並列共振インバータ回路や、直列共振インバータ回路、他励式インバータ回路が接続されている。
【００２８】
各出力トランスＴＦ１，ＴＦ２，ＴＦ３の二次巻線１９８，２００の各巻き終わり端に接続する低圧側端子２１４，２１６，２１８，２２０は、アースに接続している。Ｌ１とＬ１２，Ｌ２とＬ１１は冷陰極型蛍光ランプであり、それぞれ互いに直列に接続されている。冷陰極型蛍光ランプＬ１，Ｌ２の一方の電極は、バラストコンデンサＣ１，Ｃ２を介して、出力トランスＴＦ１の二次巻線の巻き始め端に接続する高圧側端子２０６，２０８に接続し、冷陰極型蛍光ランプＬ１２，Ｌ１１の一方の電極は、バラストコンデンサＣ１２，Ｃ１１を介して、出力トランスＴＦ３の二次巻線の巻き始め端に接続する高圧側端子２１０，２１２に接続している。互いに直列に接続する一対のランプＬ３，Ｌ６と一対のランプＬ４，Ｌ５の中、一方のランプＬ３，Ｌ４の一方の電極は、バラストコンデンサＣ３，Ｃ４を介して、出力トランスＦＴ１の二次巻線２００の巻き始め端に接続する、高圧側端子２１２，２１０に接続し、他方のランプＬ５，Ｌ６の一方の電極は、バラストコンデンサＣ５，Ｃ６を介して、出力トランスＴＦ２の二次巻線の巻き始め端に接続する高圧側端子２０６，２０８に接続している。
【００２９】
互いに直列に接続するランプＬ７，Ｌ１０と一対のランプＬ８，Ｌ９の中、一方のランプＬ７，Ｌ８の一方の電極は、バラストコンデンサＣ７，Ｃ８を介して、出力トランスＴＦ２の二次巻線の巻き始め端に接続する、高圧側端子２１２，２１０に接続し、他方のランプＬ９，Ｌ１０の一方の電極は、バラストコンデンサＣ９，Ｃ１０を介して、出力トランスＴＦ３の二次巻線の巻き始め端に接続する、高圧側端子２０６，２０８に接続している。各出力トランスＴＦ１，ＴＦ２，ＴＦ３の高圧側端子２０６，２０８と、高圧側端子２１０，２１２とはそれぞれ互いに逆相の関係にあり、ランプＬ１とＬ１２，Ｌ２とＬ１１，Ｌ３とＬ６，Ｌ４とＬ５，Ｌ７とＬ１０，Ｌ８とＬ１０，Ｌ８とＬ９のそれぞれの接続点はみかけ上、ゼロボルトとなる。
【００３０】
上記した構成において、回路の入力端子Ａ，Ｂから、出力トランスＴＦ１，ＴＦ２，ＴＦ３の一次側に交流信号が入力され、出力トランスＴＦ１，ＴＦ２，ＴＦ３の二次側に高圧の交流電圧が誘起されると、各ランプＬ１，Ｌ１２、Ｌ２，Ｌ１１、Ｌ３，Ｌ６、Ｌ４，Ｌ５、Ｌ７，Ｌ１０、Ｌ８，Ｌ９の両端に高圧交流電圧が印加される。各出力トランスＴＦ１，ＴＦ２，ＴＦ３の二次巻線１９８，２００の両端には、これらの両端に接続されている負荷も含めたトータルのインピーダンスに相当する電圧が発生する。このとき、例えば出力トランスＴＦ１の二次巻線２００と出力トランスＴＦ２の二次巻線１９８には、直列に接続されたランプＬ２，Ｌ６とランプＬ４，Ｌ５を介して関連づいた電圧が発生する。同様に、出力トランスＴＦ１の二次巻線１９８と出力トランスＴＦ３の二次巻線２００の両端には、直列に接続されたランプＬ１，Ｌ２とＬ１１，Ｌ１２を介して関連づいた電圧が発生する。また、出力トランスＴＦ２の二次巻線２００と出力トランスＴＦ３の二次巻線１９８の両端には、ランプＬ７，Ｌ１０と，Ｌ８，Ｌ９を介して関連づいた電圧が発生する。
【００３１】
これにより、全ての出力トランスＴＦ１，ＴＦ２，ＴＦ３が関連づいて、全てのランプＬ１〜Ｌ１２に均一の電流が流れ、明るさが均一となる。このことは、出力トランスＴＦ１，ＴＦ２，ＴＦ３の負荷インピーダンスに、もし、バラツキがあっても、関連づいた電圧が各出力トランスＴＦ１，ＴＦ２，ＴＦ３の二次巻線１９８，２００に生じることを意味する。また、このとき、二次巻線１９８と２００に電圧差が生じたときは、二次巻線１９８と２００の巻線に、分流トランスの動作が生じ、二次巻線１９８と２００を流れる電流が同じになろうとし、二次巻線１９８と２００の電流補正が行われる。二次巻線１９８の巻線ａ，ｂ間も同様に分流トランスの動作により電流補正が行われ、二次巻線２００の巻線ａ，ｂ間も同様に分流トランスの動作により、電流補正が行われる。以上の動作により、全てのランプＬ１〜Ｌ１２が同じ明るさで点灯する。
【００３２】
また、温度変化により、ランプのインピーダンス部品の定数が変化しても、上記の動作により、各ランプＬ１〜Ｌ１２に安定した明るさが得られる。上記のように、各出力トランスＴＦ１，ＴＦ２，ＴＦ３の二次巻線１９８，２００の両端電圧が均一になることにより、各出力トランスＴＦ１，ＴＦ２，ＴＦ３の一次側の巻線１９２の電圧もほぼ同じ値となり、安定したランプ駆動が可能となる。各出力トランスの一次側は、一次と二次の巻線比に相当した電圧が生じる。即ち、二次巻線に発生した電圧の巻き数比分の一の電圧が生じ、このことは、出力トランスＴＦ１，ＴＦ２，ＴＦ３の二次側の電圧がそれぞれほぼ等しければ、各出力トランスの一次側の電圧も等しくなり、供給される電力が同じになる。
【００３３】
上記実施形態において、最外側のに配置したランプＬ１，Ｌ１２は、直列に接続し、ランプＬ１，Ｌ１２の一方を、コネクタを介して、高圧出力端子２０６に接続し、他方を、コネクタを介して、高圧出力端子２１０に接続している。ランプＬ１，Ｌ１２に所定の間隔を存して隣接するランプＬ２，Ｌ１１は、直列に接続し、ランプＬ２，Ｌ１１の一方をコネクタを介して高圧出力端子２０８に接続し、他方をコネクタを介して高圧出力端子２１２に接続している。出力トランスＴＦ１とＴＦ２の高圧出力端子２１２，２１０と２０６，２０８に対するランプＬ３〜Ｌ６の接続は、図１に示す出力トランスＴ１とＴ２の高圧出力端子ｅ，ｆとｇ，ｈに対するランプ１８，２０，２２，２４の接続の関係と同一である。同様に、出力トランスＴＦ２とＴＦ３の高圧出力端子２１２，２１０と２０６，２０８に対するランプＬ７〜Ｌ１０の接続も、図１に示す、出力トランスＴ１とＴ２の高圧出力端子ｅ，ｆとｇ，ｈに対するランプ１８，２０，２２，２４の接続の関係と同一である。
【００３４】
以上のようにランブＬ１〜Ｌ１２を接続配置することにより、フレーム（図示省略）上に配列された各ランプの、インバータ基板（図示省略）上のコネクタに接続する高圧リード線が、交差することがない。
図５において、出力トランスＴＦ１とＴＦ３は、ランプＬ１，Ｌ１２，Ｌ１１，Ｌ２を含むループ回路により接続し、出力トランスＴＦ１とＴＦ２は、ランプＬ３，Ｌ６，Ｌ５，Ｌ４を含むループ回路により接続し、出力トランスＴＦ２とＴＦ３は、ランプＬ７，Ｌ１０，Ｌ９，Ｌ８を含むループ回路により接続する。
図９は、ランプＬ１〜Ｌ１２の通電回路が２本の閉ループを形成する実施形態を示している。図中、ＴＦ１’，ＴＦ２’，ＴＦ３’は、２本のＩ型コアとこれを磁気結合するコ字型コアからなる、インバータ基板６４上に配設された１入力４出力型の巻線型出力トランスであり、各出力トランスは、同一の構成となっている。
【００３５】
出力トランスＴＦ１’は、図１０に示すように、各Ｉ型コアの真ん中に一次巻線Ｐ，Ｐがボビンを介して装着され、この一次巻線Ｐ，Ｐの両側に二次巻線Ｓ１，Ｓ２とＳ３，Ｓ４がボビンを介して装着され、高圧出力端子２０６，２０８，２１０，２１２を備えている。各一次巻線Ｐ，Ｐは、リード線ｎにより、直列に接続され、１入力を構成している。二次巻線Ｓ１〜Ｓ４は、互いに同一方向に巻かれている。二次巻線Ｓ１，Ｓ３の各一端は、高圧出力端子２０６，２０８に接続している。二次巻線Ｓ２，Ｓ４の各他端は、高圧出力端子２１０，２１２に接続している。二次巻線Ｓ１とＳ２はリード線５６により、直列に接続され、該リード線５６は、抵抗５８を介してグランドされている。同様に、二次巻線Ｓ３とＳ４もリード線６０により、直列に接続され、該リード線６０は、抵抗６２を介してグランドされている。一次側の入力端子Ｋ，Ｌは、図５に示す、入力端子Ａ，Ｂに接続している。他の巻線型出力トランスＴＦ２’，ＴＦ３’も同様に一次側の入力端子が、入力端子Ａ，Ｂにそれぞれ並列接続されている。
【００３６】
フレーム６６に配置された最外側のランプＬ１とＬ１２は、直列にリード線ｍ１を介して接続され、フレーム６６上のランプＬ２とＬ１１は、直列に、リード線ｍ２を介して接続されている。ランプＬ３，Ｌ６は、直列にリード線ｍ３を介して接続され、ランプＬ７，Ｌ１０は、直列にリード線ｍ４を介して接続され、ランプＬ４，Ｌ５は、直列にリード線ｍ５を介して接続され、ランプＬ８，Ｌ９は、直列にリード線ｍ６を介して接続されている。そして、各ランプＬ１〜Ｌ１２の各一端のリード線は、それぞれ対応する巻線型トランスＴＦ１’〜ＴＦ３’の高圧出力端子に、コネクタ６８〜７８を介して接続している。
【００３７】
上記した構成において、ランプＬ１，Ｌ１２，Ｌ９，Ｌ８，Ｌ５，Ｌ４は１本の閉ループにより直列に接続され、ランプＬ２，Ｌ１１，Ｌ１０，Ｌ７，Ｌ６，Ｌ３は、他の１本の閉ループにより直列に接続され、通電される。前記ランプ（Ｌ２，Ｌ１１）の１組のランプの中、一方のランプ（Ｌ１１）を最外側に配置し、前記ランプ（Ｌ１，Ｌ１２）の１組のランプの中、一方のランプ（Ｌ１２）を前記照明器具（Ｌ２，Ｌ１１）の中の一方のランプ（Ｌ１１）の内側に隣接配置し、前記１組のランプ（Ｌ１，Ｌ１２）を直列に接続するリード線（ｍ１）と、前記１組のランプ（Ｌ２，Ｌ１１）を直列に接続するリード線（ｍ２）とを交差させれば、全てのランプと出力トランスの二次側高圧出力端子を１本の閉ループに直列に接続することができる。この原理に基づいた、ランプＬ１〜Ｌ１２の通電回路が１本の閉ループを形成する実施形態が図１１に示されている。
【００３８】
図１１において、ランプＬ１とランプＬ１１は、直列にリード線ｍ１’を介して接続され、ランプＬ２とランプＬ１２は、直列にリード線ｍ２’を介して接続されている。上記リード線ｍ１’とｍ２’は１点で交差している。他の構成は、図９に示す実施形態と同一である。
上記した構成において、ランプ駆動回路は、出力トランスＴＦ１’の高圧出力端子２０６を始点と仮定すると、出力トランスＴＦ１’のコネクタ６８、ランプＬ１、ランプＬ１１、出力トランスＴＦ３’のコネクタ７８、出力トランスＴＦ３’の二次巻線Ｓ４、同Ｓ３、出力トランスＴＦ３’のコネクタ７６、ランプＬ１０、ランプＬ７、出力トランスＴＦ２’のコネクタ７４、出力トランスＹＦ２’の二次巻線Ｓ４、同Ｓ３、同コネクタ７２、ランプＬ６、ランプＬ３、出力トランスＴＦ１’のコネクタ７０、同二次巻線Ｓ４、同Ｓ３、同コネクタ６８，ランプＬ２、ランプＬ１２、出力トランスＴＦ３’のコネクタ７８、同二次巻線Ｓ２，同二次巻線Ｓ１、同コネクタ７６、ランプ９、ランブ８，出力トランスＴＦ２’のコネクタ７４，同二次巻線Ｓ２、同二次巻線Ｓ１、同コネクタ７２、ランプＬ５、ランプＬ４、出力トランスＴＦ１’のコネクタ７０、同二次巻線Ｓ２、同二次巻線Ｓ１を経て、出力トランスＴＦ１’の高圧出力端子２０６に戻る１本の閉ループ電流路が形成される。
【００３９】
これにより、ランプＬ１〜Ｌ１２には、閉ループを流れる同一の電流が流れ、各ランプＬ１〜Ｌ１２の輝度が均一となる。交差するリード線ｍ１’，ｍ２’の電位は、ゼロボルトであり、リード線ｍ１’，ｍ２’間に大きな電位差が生じないため、リード線ｍ１’ｍ２’間の容量結合の問題は生じない。
次に図１２を参照して、本発明の他の実施形態について説明する。
本実施形態で使用される３個の巻線型出力トランスＴＴ１，ＴＴ２，ＴＴ３は、それぞれ同一構造の１入力４出力型であり、一方のＩ型コアに装着された二次巻線Ｓ１，Ｓ２は、同一方向に巻き回され、他方のＩ型コアに装着された二次巻線Ｓ，Ｓ４は、二次巻線ＳＳ１，Ｓ２とは逆方向に巻き回されている。これにより、各出力トランスＴＴ１，ＴＴ２，ＴＴ３の高圧出力端子２０６と２０８は、互いに逆相となっており、高圧出力端子２１０と２１２も同様に互いに逆相となっている。二次巻線Ｓ１とＳ３の各他端は、リード線８０により、直列に接続され、該リード線８０は、抵抗を介してグランドされている。また、二次巻線Ｓ２とＳ４の各一端は、リード線８２により直列に接続され、該リード線８２は、抵抗を介してグランドされている。
【００４０】
各出力トランスＴＴ１，ＴＴ２，ＴＴ３の一次側とインバータ基板６４に設置されたインバータ回路との接続は図５に示す実施形態と同一である。フレーム６６上に、ランプＬ１〜Ｌ１２がソケットにより支持配置され、各ランプＬ１〜Ｌ１２の一端は、図１２に示すように、出力トランスＴＴ１，ＴＴ２，ＴＴ３の高圧出力端子２０６，２０８，２１２，２１０に、順番に、互いにリード線が交差しないように、コネクタ６８，７０，７２，７４，７６を介して接続している。ランプＬ１とランプＬ１２の各他端は、リード線を介して、互いに直列に接続している。ランプＬ２とＬ３，ランプＬ４とＬ５，ランプＬ６とＬ７，ランプＬ８とＬ９，ランプＬ１０とＬ１１も同様に、それぞれリード線を介して、各他端が直列に接続している。上記した構成において、ランプ供電回路は、１本の閉ループを形成し、該閉ループを通じて、ランプＬ１〜Ｌ１２が駆動される。
【００４１】
該ループは、出力トランスＴＴ１の高圧出力端子２０６を始点と仮定すると、コネクタ６８、ランプＬ１、ランプＬ１２、コネクタ７８、出力トランスＴＴ３の高圧出力端子２１０、出力トランスＴＴ３の二次巻線Ｓ２、出力トランスＴＴ３の二次巻線Ｓ４、コネクタ７８、ランプＬ１１、ランプＬ１０、コネクタ７６、出力トランスＴＴ３の二次巻線Ｓ３、出力トランスＴＴ３の二次巻線Ｓ１、コネクタ７６、ランプＬ９、ランプＬ８、コネクタ７４、出力トランスＴＴ２の二次巻線Ｓ２、コネクタ７４、ランプＬ７、ランプＬ６、コネクタ７２、出力トランスＴＴ２の二次巻線Ｓ３、出力トランスＴＴ２の二次巻線Ｓ１、コネクタ７２、ランプＬ５、ランプＬ４、コネクタ７０、出力トランスＴＴ１の二次巻線Ｓ２、出力トランスＴＴ１の二次巻線Ｓ４、コネクタ７０、ランプＬ３、ランプＬ２、コネクタ６８、出力トランスＴＴ１の二次巻線Ｓ３、出力トランスＴＴ１の二次巻線Ｓ１を経て、出力トランスＴＴ１の高圧出力端子２０６に戻る電路を形成する。上記閉ループの電流供給路に直列に接続する各ランプＬ１〜Ｌ１２の輝度が均一となる。
【００４２】
上記インバータ基板６４は、図１３及び図１４に示すように、フレーム６６の裏面に配置固定しても良い。この実施形態では、ソケット８４，８６により両端が支持された、フレーム６６上の照明器具８８の電極に接続するリード線は、フレーム６６に形成した開口部を通じて、インバータ基板６４側のコネクタ９０に接続される。コネクタ９０は、複数の出力トランスごとに設けられ、各出力トランスの二次側高圧出力端子は、リード線を介して、コネクタ９０の端子に接続している。図１３及び図１４に示すインバータ基板６４及びフレーム６６には、図１、図２、図３，図４、図５、図９，図１１、図１２に示す回路とランプが組み込まれる。
本発明は、２個又は３個の出力トランス及び４個乃至１２個のランプを用いた実施形態に特に限定されるものではなく、更に多くの出力トランス及びランプを用いた照明器具駆動装置に応用することができる。
【００４３】
図８は、トランスにおけるワイヤの平行巻きの他の実施形態を示している。
コア１３０が内蔵されたボビン１３２に絶縁材１３４を介して、第１の二次巻線１３６を積層して巻き回し、この第１の二次巻線１３６の上に、絶縁材１３８を介して、第１の二次巻線１３６と同じ巻き数で、第２の二次巻線１４０を積層して巻き回し、図５の２本の巻線ａ，ｂに相当する、第１と第２の二次巻線１３６，１４０を、積層構造として構成するようにしても良い。なお、上記第１の二次巻線１３６を２本以上の線からなるバイファイラ巻きとし、同様に第２の二次巻線１４０を２本以上の線からなるバイファイラ巻きとしても良い。図８において、第１と第２の二次巻線１３６，１４０をそれぞれ２本のワイヤ（線）により構成すれば、１入力４出力の巻線型トランスを構成することができる。この積層構造のトランスは、本発明の上記実施形態のすべてに使用することができる。
【図面の簡単な説明】
【００４４】
【図１】本発明に係る照明器具駆動回路の回路図である。
【図２】本発明の他の実施形態を示す回路図である。
【図３】本発明の他の実施形態を示す回路図である。
【図４】本発明の他の実施形態を示す回路図である。
【図５】本発明の他の実施形態を示す回路図である。
【図６】巻線型トランスの平面説明図である。
【図７】巻線型トランスの外観説明図である。
【図８】平行巻きトランスの他の実施形態を示す断面図である。
【図９】本発明の他の実施形態を示す回路図である。
【図１０】本発明の他の実施形態の一部の説明図である。
【図１１】本発明の他の実施形態を示す回路図である。
【図１２】本発明の他の実施形態を示す回路図である。
【図１３】本発明の他の実施形態を示す説明図である。
【図１４】本発明の他の実施形態を示す説明図である。
【図１５】従来技術の回路図である。
【符号の説明】
【００４５】
２      入力巻線  
４      入力巻線        
６      リード線
８      リード線
１０    二次巻線
１２    二次巻線
１４    二次巻線
１６    二次巻線
１８    ランプ
２０    ランプ
２２    ランプ
２４    ランプ
２６    二次巻線
２８    二次巻線
３０    二次巻線
３２    二次巻線
３４    二次巻線
３６    二次巻線
３８    二次巻線
４０    二次巻線
４２    ランプ
４４    ランプ
４６    ランプ
４８    ランプ
５０    ランプ
５２    ランプ
５４    ランプ
５６    リード線
５８    抵抗
６０    リード線
６２    抵抗
６４    インバータ基板
６６    フレーム
６８    コネクタ
７０    コネクタ
７２    コネクタ
７４    コネクタ
７６    コネクタ
７８    コネクタ
８０    リード線
８２    リード線
８４    ソケット
８６    ソケット
８８    照明器具
９０    コネクタ
１３０  コア
１３２  ボビン
１３４  絶縁材
１３６  二次巻線
１３８  絶縁材
１４０  二次巻線
１８２  コア
１８４  ボビン
１８６  端子台
１８８  入力端子
１９０  入力端子
１９２  ボビン
１９４  ボビン
１９６  パーティション
１９８  二次巻線
２００  二次巻線
２０２  端子台
２０４  端子台
２０６  高圧端子
２０８  高圧端子
２１０  高圧端子
２１２  高圧端子
２１４  グランド端子
２１６  グランド端子
２１８  グランド端子
２２０  グランド端子
【図１】
2006040871.tif 000003
【図２】
2006040871.tif 000004
【図３】
2006040871.tif 000005
【図４】
2006040871.tif 000006
【図５】
2006040871.tif 000007
【図６】
2006040871.tif 000008
【図７】
2006040871.tif 000009
【図８】
2006040871.tif 000010
【図９】
2006040871.tif 000011
【図１０】
2006040871.tif 000012
【図１１】
2006040871.tif 000013
【図１２】
2006040871.tif 000014
【図１３】
2006040871.tif 000015
【図１４】
2006040871.tif 000016
【図１５】
2006040871.tif 000017